(57)【要約】希土類原子と、金属原子及び酸素原子を含み希土類原子に配位しているポリオキソメタレートと、希土類原子に配位している有機配位子と、を有する希土類錯体を含む、発光材料が開示される。有機配位子が光学活性化合物を含み、当該発光材料中の光学活性化合物の一組の鏡像異性体のうち一方の物質量が他方の物質量よりも大きい。
2018047951.tif 000002
【特許請求の範囲】
【請求項１】
希土類原子と、
金属原子及び酸素原子を含み前記希土類原子に配位しているポリオキソメタレートと、
前記希土類原子に配位している有機配位子と、
を有する希土類錯体を含む、発光材料であって、
前記有機配位子が光学活性化合物を含み、
当該発光材料中の前記光学活性化合物の一組の鏡像異性体のうち一方の物質量が他方の物質量よりも大きい、
発光材料。
【請求項２】
前記希土類錯体が、４００〜５５０ｎｍの範囲の波長を有する励起光によって発光する、請求項１に記載の発光材料。
【請求項３】
前記光学活性化合物が下記式（Ｉ）で表される化合物及び／又はその鏡像異性体である、請求項１又は２に記載の発光材料。
【化１】
2018047951.tif 000007
［式中、Ｒ１は置換されていてもよい炭化水素基を示し、Ｒ２、Ｒ３及びＲ４は置換されていてもよい炭化水素基を示し、Ｒ５、Ｒ６、Ｒ７及びＲ８はそれぞれ独立に水素原子、ハロゲン原子又は置換されていてもよい炭化水素基を示す。］
【請求項４】
前記希土類原子がランタノイドである、請求項１〜３のいずれか一項に記載の発光材料。
【請求項５】
前記希土類錯体が２個の前記ポリオキソメタレートを有しており、２個の前記ポリオキソメタレートの間に１個又は２個の前記希土類原子が配置されている、請求項１〜４のいずれか一項に記載の発光材料。
【請求項６】
親水性基及び疎水性基を有する両親媒性化合物を更に含む、請求項１〜５のいずれか一項に記載の発光材料。
【請求項７】
請求項１〜６のいずれか一項に記載の発光材料を含む、インク。
【請求項８】
請求項１〜６のいずれか一項に記載の発光材料を含む発光層を備える、発光デバイス。
【発明の詳細な説明】
【技術分野】
【０００１】
本発明は、発光材料、並びにこれを用いたインク及び発光デバイスに関する。
【背景技術】
【０００２】
円偏光発光は、通常、直線偏光フィルタと円偏光フィルタを組み合わせることにより作り出されている。これに代えて、フィルター無しに円偏光発光を供給できる発光材料が提案されている（例えば、非特許文献１）。
【先行技術文献】
【非特許文献】
【０００３】
【非特許文献１】Ｊ．  Ａｍ．  Ｃｈｅｍ．  Ｓｏｃ．，２００８，１３０，１３８１４−１３８１５
【発明の概要】
【発明が解決しようとする課題】
【０００４】
本発明の一側面に係る目的は、高い異方性因子の円偏光発光特性を示す発光材料を提供することにある。
【課題を解決するための手段】
【０００５】
本発明の一側面は、希土類原子と、金属原子及び酸素原子を含み前記希土類原子に配位しているポリオキソメタレートと、前記希土類原子に配位している有機配位子と、を有する希土類錯体を含む、発光材料を提供する。前記有機配位子が光学活性化合物を含み、当該発光材料中の前記光学活性化合物の一組の鏡像異性体のうち一方の物質量が他方の物質量よりも大きい。【０００６】
本発明者らの知見によれば、ポリオキソメタレートと、光学活性化合物であって一方の鏡像異性体の割合が多い有機配位子とを組み合わせることにより、希土類錯体が顕著に高い異方性因子の円偏光発光特性を示すことができる。【０００７】
本発明の一側面において、前記希土類錯体が、４００〜５５０ｎｍの範囲の波長を有する励起光によって発光するものであってもよい。一般に、有機配位子を有する希土類錯体は有機配位子から希土類原子への電荷移動に基づく吸収（ＣＴＳ吸収）を示すが、本発明者らの知見によれば、発光を生じるＣＴＳ吸収の波長と異方性因子とが関係している。発光を生じるＣＴＳ吸収が４００〜５５０ｎｍの範囲にあるとき、希土類錯体が高い異方性因子の円偏光発光特性を示すと考えられる。
【発明の効果】
【０００８】
本発明によれば、高い異方性因子の円偏光発光特性を示す発光材料が提供され得る。
【図面の簡単な説明】
【０００９】
【図１】発光材料の一実施形態を示す模式図である。
【図２】発光材料の赤外吸収スペクトルである。
【図３】発光材料のＸＲＤパターンである。
【図４】発光材料の励起スペクトルである。
【図５】発光材料の円偏光発光スペクトルである。
【図６】発光材料の円偏光発光スペクトルである。
【発明を実施するための形態】
【００１０】
以下、本発明のいくつかの実施形態について詳細に説明する。ただし、本発明は以下の実施形態に限定されるものではない。
【００１１】
図１は、発光材料の一実施形態を示す模式図である。図１に示す発光材料２０は、希土類錯体１０と、希土類錯体１０を囲む複数の両親媒性化合物４とから構成される。希土類錯体１０は、希土類原子１と、希土類原子１に配位しているポリオキソメタレート３及び有機配位子２とを有する。有機配位子２が少なくとも一組の鏡像異性体を構成し得る光学活性化合物であり、発光材料２０全体において光学活性化合物の少なくとも一組の鏡像異性体のうち一方の割合が他方よりも多い。両親媒性化合物４はミセルのような構造を形成しており、個々のミセルの内部に希土類錯体１０の複数の分子が含まれ得る。発光材料２０は、希土類錯体１０及び両親媒性化合物４から構成される結晶を含んでいてもよい。図１の希土類錯体１０は、対向する２個のポリオキソメタレート３の間に希土類原子１が挟まれている、いわゆるサンドイッチ構造を有している。２個のポリオキソメタレートの間に２個の希土類原子が挟まれていてもよい。ただし、希土類錯体は必ずしもサンドイッチ構造を形成していなくてもよい。
【００１２】
希土類原子１は、図１の三価のユーロピウム（Ｅｕ）に限られず、例えば、Ｓｃ、Ｙ及びランタノイド（Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ）から選択することができる。発光波長及び発光強度の観点から、希土類原子１はランタノイドであってもよく、Ｅｕ、Ｔｂ、Ｓｍ、Ｎｄ、Ｙｂ、Ｔｍ、Ｃｅ、Ｅｒ及びＰｒからなる群より選ばれる少なくとも１種であってもよく、Ｅｕであってもよい。希土類原子は、希土類錯体中では通常イオンの形で存在する。希土類原子の原子価は、特に制限されるものではなく、適宜選択することができる。
【００１３】
希土類原子１に配位しているポリオキソメタレート３（ＰＯＭ）は、一般に、複数の金属原子（Ｍ）及びこれに配位した複数の酸素原子（Ｏ）から構成される。ポリオキソメタレートは、例えば、リンドクヴィスト型又はケギン型のポリ酸であることができる。
【００１４】
ポリオキソメタレートは、例えば、金属原子及び酸素原子によって形成されたＭＯ４四面体、ＭＯ５五面体、又はＭＯ６八面体の構造を含む。ポリオキソメタレートは、１個の金属原子と、金属原子に配位している６個の酸素原子とを含む八面体構造（ＭＯ６八面体）の部分を有していてもよい。ポリオキソメタレートは、一種類の金属原子及び酸素原子から構成されるイソポリオキソメタレート、又は、イソポリオキソメタレートに更にヘテロ原子を含むヘテロポリオキソメタレートであってもよい。ポリオキソメタレートは、複数の上記多面体構造の部分を含みそれらが互いに結合している複合体であってもよい。
【００１５】
ポリオキソメタレートに含まれる金属原子は、特に制限されないが、例えば、Ｍｏ、Ｗ、Ｖ、Ｓｉ、Ｐ、Ｇｅ、Ａｌ、及びＡｓからなる群より選ばれる少なくとも１種であってもよい。ポリオキソメタレートに含まれる金属原子は、Ｍｏ及びＷのような六価の金属原子であってもよく、これらは八面体構造を形成することができる。
【００１６】
希土類錯体は、図１に具体的に示される化合物に限られず、任意の光学活性化合物を有機配位子として含むことができる。複数の希土類錯体を含む発光材料２０の全体において、光学活性化合物の一組の鏡像異性体のうち一方の物質量（モル数）が他方の物質量（モル数）よりも大きい。言い換えると、光学活性化合物の鏡像異性体過剰率（ｅｅ）が０％を超える。この鏡像異性体過剰率は、１０％以上、２０％以上、３０％以上、４０％以上、５０％以上、６０％以上、７０％以上、８０％以上、９０％以上、又は９５％以上であってもよい。鏡像異性体過剰率が高いと発光材料中にキラリティが生じ、その結果円偏光発光における異方性因子がより大きくなると考えられる。
【００１７】
有機配位子としての光学活性化合物は、アニオン又は中性の配位子であることができる。希土類錯体の発光強度向上等の観点から、光学活性化合物は、希土類原子を効果的に励起することができる光増感作用を有する配位子であってもよく、その例としては、１，３−ジケトンから誘導されるエノラートがある。光学活性化合物であるエノラートの具体例としては、下記式（Ｉ）で表される化合物及びその鏡像異性体が挙げられる。
【００１８】
【化１】
2018047951.tif 000003
【００１９】
式中、Ｒ１は置換されていてもよい炭化水素基を示し、Ｒ２、Ｒ３及びＲ４はそれぞれ独立に置換されていてもよい炭化水素基を示し、Ｒ５、Ｒ６、Ｒ７及びＲ８はそれぞれ独立に水素原子、ハロゲン原子又は置換されていてもよい炭化水素基を示す。
【００２０】
Ｒ１は、置換されていてもよいアルキル基であってもよく、その炭素数は１〜１０であってもよい。Ｒ１は、フッ素化アルキル基であってもよく、その例としてはトリフルオロメチル基（−ＣＦ３）、及びパーフルオロペンチル基（−ＣＦ２ＣＦ２ＣＦ３）が挙げられる。
【００２１】
Ｒ２、Ｒ３及びＲ４は置換されていてもよいアルキル基であってもよく、その炭素数は１〜５であってもよい。Ｒ２、Ｒ３及びＲ４の具体例としては、メチル基が挙げられる。
【００２２】
Ｒ５、Ｒ６、Ｒ７及びＲ８はそれぞれ独立に置換されていてもよいアルキル基であってもよく、その炭素数は１〜５であってもよい。Ｒ５、Ｒ６、Ｒ７及びＲ８が水素原子であってもよい。
【００２３】
式（Ｉ）で表される光学活性化合物の鏡像異性体の組の例としては、下記式（１ａ）で表される化合物及び下記式（１ｂ）で表される化合物の組み合わせがある。これら式中のＲ１は上記と同義であり、特にフッ素化アルキル基であってもよい。発光材料に含まれる式（１ａ）の化合物の物質量が、発光材料に含まれる式（１ｂ）の化合物の物質量よりも大きくてもよく、その逆でもよい。
【００２４】
【化２】
2018047951.tif 000004
【００２５】
有機配位子として用いられ得る光学活性化合物の他の例としては、下記式（ＩＩ）、（ＩＩＩ）、（ＩＶ）又は（Ｖ）で表される化合物及びその鏡像異性体が挙げられる。
【化３】
2018047951.tif 000005
【００２６】
式（ＩＩ）中のＡｒ１は置換されていてもよいアリール基を示し、その具体例としてはフェニル基が挙げられる。式（ＩＩＩ）中、Ｒ１１は置換されていてもよいアルキル基又は置換されていてもよいアリール基を示し、Ｒ１２は水素原子、置換されていてもよいアルキル基又は置換されていてもよいアリール基を示す。Ｒ１１及びＲ１２はそれぞれ独立に炭素数１〜５のアルキル基であってもよく、その具体例としてはメチル基及びイソプロピル基が挙げられる。Ｒ１１又はＲ１２としてのアリール基の具体例としてはフェニル基が挙げられる。
【００２７】
有機配位子を、有機配位子から希土類原子への電荷移動に基づく吸収（ＣＴＳ吸収）を生じる波長に基づいて、選択することもできる。可視光域の発光を生じるＣＴＳ吸収波長が青帯色（４００〜５５０ｎｍ）の範囲にあるとき、希土類錯体が特に高い異方性因子を示す傾向がある。したがって、青帯色のＣＴＳ吸収を希土類錯体が示すような光学活性化合物を有機配位子として用いることにより、異方性因子増大の効果がより一層顕著なものとなり得る。有希土類錯体が青帯色のＣＴＳ吸収によって発光することは、希土類錯体が溶解した溶液を試料として用いた励起スペクトルにおいて、励起光４００〜５５０ｎｍの範囲に可視光域（３８０〜７５０ｎｍ）の蛍光が観測されることにより、確認できる。
【００２８】
１個の希土類原子に配位する酸素原子の数（酸素配位数）が大きいと、希土類錯体に青帯色のＣＴＳ吸収を有し易い傾向がある。具体的には、希土類錯体における酸素配位数が７〜１１であってもよい。更に、有機配位子のＨＯＭＯ及びＬＵＭＯのエネルギー準位が高いと希土類錯体に青帯色のＣＴＳ吸収を有し易い傾向があるため、ＨＯＭＯ及びＬＵＭＯのエネルギー準位に着目して有機配位子を選択することによっても、青帯色のＣＴＳ吸収を有する希土類錯体を設計することが可能である。
【００２９】
希土類錯体中の１個の希土類原子に対して、１個又は２個以上の光学活性化合物が配位することができる。希土類錯体は、光学活性化合物に加えて、他の有機配位子を更に含んでいてもよい。両親媒性化合物４は、その親水性基４ａが希土類錯体１０側となる向きで、希土類錯体１０の周囲に配置されており、親水性基４ａと希土類錯体１０とが相互作用している。発光材料における両親媒性化合物の含有量は、希土類錯体の質量に対して、１〜１００、又は２〜２０であってもよい。
【００３０】
両親媒性化合物４は、親水性基４ａ及び疎水性基４ｂを有し、界面活性剤とも呼ばれるミセル形成剤として機能する分子である。希土類錯体が両親媒性化合物と複合体を形成することにより、希土類錯体が溶媒に対する良好な溶解性を有することができる。
【００３１】
両親媒性化合物の親水性基が、カチオン基であってもよい。親水性基としては、例えば、アンモニウム基、ピリジニウム基、カルボキシラート基、サルフェート基、及びスルホネート基が挙げられる。親水性基は、アンモニウム基、及びピリジニウム基から選ばれるカチオン基であってもよい。疎水性基としては、例えば、炭素数６〜１８のアルキル基、炭素数６〜１６のアルキルベンゼン基、アルキルナフタレン基、炭素数４〜９のペルフルオロアルキル基、ポリプロピレンオキサイド、及びポリシロキサンが挙げられる。アルキル基は、直鎖又は分岐アルキルであってもよい。
【００３２】
両親媒性化合物は、セチルトリメチルアンモニウムブロマイド（ＣＴＡ）、ジメチルジオクタデシルアンモニムブロマイド（ＤＯＤＡ）、ドデシルトリメチルアンモニウムブロマイド（ＤＤＴＡ）、ドデシル１１メタクリルオキシウンデシルジメチルアンモニウムブロミド（ＤＭＤＡ）、及びジ１１ヒドロキシウンデシルジメチルアンモニウムブロミド（ＤＯＤＨＡ）からなる群より選ばれる少なくとも１種であってもよい。
【００３３】
発光材料は、希土類錯体及び両親媒性化合物を主成分として含有する。発光材料における希土類錯体及び両親媒性化合物の合計の含有量は、発光材料の質量を基準として、８０質量％以上、９０質量％以上、又は９５質量％以上であってもよい。
【００３４】
発光材料は、例えば、希土類原子及びこれに配位したポリオキソメタレートを有する無機希土類錯体と両親媒性化合物との複合体を有機溶媒に溶解させる工程と、有機溶媒中で希土類原子に光学活性化合物を含む有機配位子を配位させる工程と、をこの順に備える方法により、得ることができる。光学活性化合物として、通常の方法により予め光学分割されたものを用いることができる。
【００３５】
希土類原子及びポリオキソメタレートを含む無機希土類錯体は、当業者が理解する通常の方法により調製することができる。例えば、ユーロピウム−ポリオキソメタレート錯体の調製方法が、参考文献：Ｙａｍａｓｅら、Ｃｈｅｍ．  Ｒｅｖ．  １９９８、ｖｏｌ  ９８、ｐ３０７−３２５に記載されている。無機希土類錯体と両親媒性化合物との複合体は、例えば、溶液中で無機希土類錯体と両親媒性化合物とを反応させることにより、得ることができる。生成した複合体は、再結晶等により精製してもよい。
【００３６】
次いで、複合体を有機配位子と反応させる。この反応に用いる有機溶媒は、ハロゲン系の有機溶媒であってもよく、その例としては、クロロホルム、ジクロロメタンが挙げられる。生成した発光材料（希土類錯体と両親媒性化合物との複合体）は、再結晶等により精製してもよい。
【００３７】
発光材料は、優れた円偏光発光特性を有することから、例えば、発光層を形成するためのインク、発光性フィルム、又は、円偏光発光デバイスのような各種用途への応用が想定される。インクは、例えば、発光材料と、発光材料を溶解又は分散する溶媒とを含有することができる。発光材料を含む発光層又は発光性フィルムは、例えば、発光材料と、発光材料が溶解又は分散するポリマーマトリックスとを含有することができる。
【実施例】
【００３８】
以下、実施例を挙げて本発明についてさらに具体的に説明する。ただし、本発明はこれら実施例に限定されるものではない。【００３９】
１．発光材料の合成
１−１．Ｅｕ（（＋）−ｆａｃａｍ）（ＰＯＭ）
ユーロピウム（Ｅｕ）と、タングステン（Ｗ）を含むポリオキソメタレートと、有機配位子としての３−（トリフルオロメチルヒドロキシメチレン）−（＋）−カンホラートとを有するユーロピウム錯体、並びに、両親媒性分子としてのセチルトリメチルアンモニウムブロマイドから構成される発光材料（Ｅｕ（（＋）−ｆａｃａｍ）（ＰＯＭ））を以下の手順で合成した。【００４０】
ガラス容器に、０．３ｇ（０．０９ｍｍｏｌ）のＮａ９［ＥｕＷ１０Ｏ３６］３２Ｈ２Ｏ（Ｅｕ−ＰＯＭ）、及び５ｍＬの蒸留水を入れ、攪拌した。Ｅｕ−ＰＯＭが蒸留水に溶解した後、０．６ｇ（０．９ｍｍｏｌ）のセチルトリメチルアンモニウムブロマイド（ＣＴＡ）を含むクロロホルム溶液５ｍＬを、攪拌しながら滴下した。次いで、オイルバスを用いて、６０℃で加熱還流しながら、６時間かけてＥｕ−ＰＯＭとＣＴＡとの反応を進行させた。反応終了後、分液漏斗を用いて反応液からクロロホルム層を回収し、そこに硫酸マグネシウムを加え、脱水した。硫酸マグネシウムを除去した後、エバポレーターを用いてクロロホルムを留去した。残渣にクロロホルムを加え、再結晶により、Ｅｕ−ＰＯＭとＣＴＡとの複合体（ＣＴＡ−Ｅｕ−ＰＯＭ、白色固体）を得た。【００４１】
得られたＣＴＡ−Ｅｕ−ＰＯＭ２００ｍｇと、クロロホルム１０ｍＬとをガラス容器に入れ、攪拌した。ＣＴＡ−Ｅｕ−ＰＯＭが溶解した後、３−（トリフルオロメチルヒドロキシメチレン）−（＋）−カンホラート（（＋）−ｆａｃａｍ）２５ｍｇ（０．１ｍｍｏｌ）をガラス容器に攪拌しながら滴下した。次いで、オイルバスを用いて、６０℃で加熱還流しながら、ＣＴＡ−Ｅｕ−ＰＯＭと（＋）−ｆａｃａｍとの反応を一晩かけて進行させた。反応終了後、エバポレーターを用いてクロロホルムを留去した。残渣にクロロホルムを加え、再結晶により、透明な結晶である発光材料（Ｅｕ（（＋）−ｆａｃａｍ）（ＰＯＭ））を得た。【００４２】
得られたＥｕ（（＋）−ｆａｃａｍ）（ＰＯＭ）を、Ｘ線回折（ＸＲＤ）、及び赤外分光法により分析した。図２はＥｕ（（＋）−ｆａｃａｍ）（ＰＯＭ）の赤外吸収スペクトルを示し、図３はＥｕ（（＋）−ｆａｃａｍ）（ＰＯＭ）のＸＲＤパターンを示す。これらを含む分析結果から、（＋）−ｆａｃａｍが配位した希土類錯体とＣＴＡとの複合体が形成されていることが確認された。また、Ｅｕ（（＋）−ｆａｃａｍ）（ＰＯＭ）は、ジクロロメタン及びクロロホルムに溶解して透明な溶液を形成することが確認された。【００４３】
図４は、Ｅｕ（（＋）−ｆａｃａｍ）（ＰＯＭ）の励起スペクトルを示す。希土類錯体（Ｅｕ（（＋）−ｆａｃａｍ）（ＰＯＭ））の粉末を測定試料として用い、２５０〜５７５ｎｍの範囲の励起光に対する波長６１３ｎｍの蛍光強度を測定した。Ｅｕ（（＋）−ｆａｃａｍ）（ＰＯＭ）は青色域（４００〜５５０ｎｍ）の励起光を吸収して可視光域で蛍光を発することが確認された。【００４４】
１−２．Ｅｕ（（−）−ｆａｃａｍ）（ＰＯＭ）
（＋）−ｆａｃａｍに代えて３−（トリフルオロメチルヒドロキシメチレン）−（−）−カンホラート（（−）−ｆａｃａｍ）を用いたこと以外は（＋）体と同様の手順で、ユーロピウム（Ｅｕ）と、タングステン（Ｗ）を含むポリオキソメタレートと、有機配位子としての３−（トリフルオロメチルヒドロキシメチレン）−（−）−カンホラートとを有するユーロピウム錯体、並びに、両親媒性分子としてのセチルトリメチルアンモニウムブロマイドから構成される発光材料（Ｅｕ（（−）−ｆａｃａｍ）（ＰＯＭ））を合成した。得られたＥｕ（（−）−ｆａｃａｍ）（ＰＯＭ）についても、Ｅｕ（（＋）−ｆａｃａｍ）（ＰＯＭ）と同様の分析により、希土類錯体とＣＴＡとの複合体が形成さていることが確認された。【００４５】
１−３．Ｅｕ（（＋）−ｆｐｃａｍ）（ＰＯＭ）、Ｅｕ（（−）−ｆｐｃａｍ）（ＰＯＭ）
（＋）−ｆａｃａｍに代えて３−（パーフルオロプロピルヒドロキシメチレン）−（＋）−カンホラート（（＋）−ｆｐｃａｍ）、又は３−（パーフルオロプロピルヒドロキシメチレン）−（−）−カンホラート（（−）−ｆｐｃａｍ）を用いたこと以外はＥｕ（（＋）−ｆａｃａｍ）（ＰＯＭ）と同様の手順で、ユーロピウム（Ｅｕ）と、タングステン（Ｗ）を含むポリオキソメタレートと、有機配位子としての３−（パーフルオロプロピルヒドロキシメチレン）−（＋）−カンホラート又は３−（パーフルオロプロピルヒドロキシメチレン）−（−）−カンホラートとを有するユーロピウム錯体、並びに、両親媒性分子としてのセチルトリメチルアンモニウムブロマイドから構成される発光材料（Ｅｕ（（＋）−ｆｐｃａｍ）（ＰＯＭ）及びＥｕ（（−）−ｆｐｃａｍ）（ＰＯＭ））を合成した。得られた（Ｅｕ（（＋）−ｆｐｃａｍ）（ＰＯＭ）及びＥｕ（（−）−ｆｐｃａｍ）（ＰＯＭ））についても、Ｅｕ（（＋）−ｆａｃａｍ）（ＰＯＭ）と同様の分析により、希土類錯体とＣＴＡとの複合体が形成さていることが確認された。【００４６】
２．評価
得られた各発光材料に関して、円偏光発光スペクトルを測定した。発光材料２０ｍｇをクロロホルム５ｍＬに溶解して調製した溶液を測定試料とした。測定条件は以下のとおりである。
・測定装置：日本分光製、ＣＰＬ−２００（製品名）
・励起スリット幅：３０００μｍ
・発光スリット幅：５０μｍ
・データ取り込み間隔：０．２ｎｍ
・掃引速度：２０ｎｍ／分【００４７】
図５は、Ｅｕ（（＋）−ｆａｃａｍ）（ＰＯＭ）及びＥｕ（（−）−ｆａｃａｍ）（ＰＯＭ）の円偏光発光スペクトルを示す。図６は、Ｅｕ（（＋）−ｆｐｃａｍ）（ＰＯＭ）及びＥｕ（（−）−ｆｐｃａｍ）（ＰＯＭ）の円偏光発光スペクトルを示す。表１は、これら円偏光発光スペクトルから得られた、７Ｆ０−５Ｄ１遷移又は７Ｆ０−５Ｄ２遷移に対応するｇ値（ｇＣＰＬ）を示す。表に示されるように、発光材料は、１．０を超える非常に高いｇ値を示した。【００４８】
【表１】
2018047951.tif 000006
【符号の説明】
【００４９】
１…希土類原子、２…有機配位子、３…ポリオキソメタレート、４…両親媒性化合物、４ａ…親水性基、４ｂ…疎水性基、１０…希土類錯体、２０…発光材料。
【図１】
2018047951.tif 000008
【図２】
2018047951.tif 000009
【図３】
2018047951.tif 000010
【図４】
2018047951.tif 000011
【図５】
2018047951.tif 000012
【図６】
2018047951.tif 000013
【国際調査報告】
2018047951.tif 000014
2018047951.tif 000015
2018047951.tif 000016
2018047951.tif 000017
2018047951.tif 000018